(57)【要約】      （修正有）【課題】他の類似製品の靴底より軽くて薄く、はきやすいだけでなく、空気の流通量が大きく、大きな換気機能を持つシューズの強制換気構造を提供する。【解決手段】本考案のシューズの強制換気構造は、２枚の靴型の上下靴底１１，１２（プラスティック片あるいは皮材でも可能）の間に、弾力性のあるプラスティックフレーム１３あるいはゴムフレームを張り付けてエアルームを形成する。また、上下靴底の間に、順序良く、蝸牛型スプリング１５を分布させている。【選択図】図１
0003101869.tif 000002
【実用新案登録請求の範囲】
【請求項１】
２枚の靴型の上下靴底（プラスティック片あるいは皮材でも可能）の間に、弾力性のあるプラスティックフレームあるいはゴムフレームを張り付けることで、エアルームを形成し、上下靴底の間には複数の蝸牛型スプリングが分布していて、蝸牛型スプリングの回復力によって、押さえ付けられた２枚の靴底を元の位置に戻し、上部靴底は、かかととつま先の部分に、それぞれ空気の進入口及び空気の出口があって、上部靴底の上方あるいは下方に通気層が張り付けられていて、この通気層には、上部靴底の空気の進入口と通じる空気の進入穴（そのつま先部分には上部靴底の空気の出口に通じる空気の出る穴はない）があり、この上部靴底の空気の進入口及び通気層の空気の進入穴は、足の裏が地面を踏んだ時、エアルームの空気を圧迫して、上部靴底の空気の出口及び通気層（空気の出る穴はない）を経て、足の指の間を流通させ、足の裏が地面から離れると、蝸牛型スプリングの回復力によって、２枚の靴底が広げられ、それと同時に外気が動かされ、空気が通気層の空気の進入穴及び上部靴底の空気の進入口を通して吸入されるので、エアルーム内は随時冷たい空気があって、靴内は通気性がよく、優れた放熱効果があるという特長を持つ、シューズの強制換気構造。
【請求項２】
上下靴底の間のプラスティックフレームあるいはゴムフレームは、中間の位置から前に徐々にその高度が低くなっていて、上部靴底は、プラスティックフレームあるいはゴムフレームと同じ（後ろが高く、前が低い）カーブ曲線になっていて、プラスティックフレームあるいはゴムフレームが張り付けやすいようになっていて、かかとの部分にエアルームを形成していて、エアルーム内には、蝸牛型スプリングがあって、上部靴底は、足の裏の前の部分が、下に向かって突起した、複数の突起粒があり、エアルーム内の空気が突起粒間の隙間を経て空気の出る口に達しやすくなっていて、靴内の通気がよくなり、優れた放熱効果を発揮するという特長を持つ、請求項１に記載のシューズの強制換気構造。
【請求項３】
下部靴底上方の蝸牛型スプリングは、上部が幾重にも巻かれていて、同一平面線のサークルと底部が平行した円錐台形状になっていて、蝸牛型スプリング底部のスプリング線は、外側に伸びて、幾重にも巻かれていて、平面線のサークルを形成し、最上部の平面と平行になっているので、上下の靴底の間に接着しやすいようになっている、請求項１に記載のシューズの強制換気構造。
【考案の詳細な説明】
【技術分野】
【０００１】
本考案はシューズの強制換気構造に関する。
【背景技術】
【０００２】
一般の換気機能を持つ靴は、公告番号１３３０４７号の「フレッシュエアシューズ」のように、ポンプに似たエアルーム、単一方向のエア弁及び導気管が必要で、それによって、空気の単一方向の流動をコントロールするようになっている。しかしながら、その体積は大きく、直接靴の内部に取り付けると、靴の内部構造の強度に影響を与える外、水洗いもできない。そして、このタイプの靴は、靴底が厚くなる外、敏感な足の裏がこれらの単一方向のエア弁、導気管にあたって、はき心地が悪いという欠点も生じる。
さらに、日本における特許出願公開番号、特開平９−２９４６０７号「シューズの強制換気システム」は、大きな口径の蝸牛型スプリングを使用をしている。しかしながら、その欠点は、外からの横向きの力によって押さえられて変形した時、元の状態に戻りにくいという点である。
【特許文献１】公告番号１３３０４７号公報
【特許文献２】特開平９−２９４６０７号公報
【考案の開示】
【考案が解決しようとする課題】
【０００３】
本考案の換気機能を持つ靴底は、材料が簡単で、単一方向のエア弁がなく、導気管もない。蝸牛型スプリングは圧縮されると同一の平面になる。したがって、その他の類似製品の靴底より軽くて薄いので、はきやすい。また、靴底の内部にエアルームを形成していて、さらに多くの空気を取り入れることができるため、空気の流通量が大きく、その他の製品より、大きな換気機能を持つ。皮靴、運動靴等、各種靴に適用可能で、靴を洗う時、中敷を取り出すことが可能で、気温が下がった時には、中敷を普通のものに変更すれば、暖かくはくことができる。さらに、上下の靴底の間には、数多くの小さな口径の蝸牛型スプリングが大きな口径の蝸牛型スプリングに取って代わっていて、従来のように、外からの横向きの力によって押さえられて変形した時、元の状態に戻りにくいという欠点がないシューズの強制換気構造を提供する。
【課題を解決するための手段】
【０００４】
本考案のシューズの強制換気構造は、２枚の靴型の上下靴底（プラスティック片あるいは皮材でも可能）の間に、弾力性のあるプラスティックフレームあるいはゴムフレームを張り付けてエアルームを形成する。また、上下靴底の間に、順序良く、蝸牛型スプリングを分布させている。この蝸牛型スプリングは、その回復力によって、押さえつけられた２枚の靴底を元の位置に戻す役割がある。また、上部靴底には、かかととつま先が当たる部分にそれぞれ空気の進入口及び空気の出口がある。そして、上部靴底の上方あるいは下方に、通気層が張ってある。また、この通気層には、上部靴底の空気の進入口と通じる空気の進入穴（つま先の部分は上部靴底の空気の出口と通じる空気の出る穴がない）がある。また、この上部靴底の空気の進入口と通気層の空気の進入穴は、足の裏が地面を踏んで押さえられた時、エアルーム内の空気を強制的に、上部靴底の空気の出口と通気層（空気の出る穴はない）を経て、足の指の間を流通させる。そして、足の裏が地面から離れると、蝸牛型スプリングの回復力によって、2枚の靴底を広げ、外気を動かし、通気層の空気の進入穴、及び、上部靴底の空気の進入口を経て吸入されるため、エアルーム内部に随時冷たい空気があり、靴内の通気がよくなり、放熱効果を発揮する。
【考案の効果】
【０００５】
本考案のシューズの強制換気構造には、以下のような効果がある。
１  靴底の材料が簡単で、単一方向の空気弁や導気管がなく、蝸牛型スプリングが圧縮された時、同一平面となり、その他の類似製品に比べて軽くて薄いため、はき心地がよい。
２  靴の内部全体がエアルームを構成していて、より多くの空気を取り入れることができ、空気の流通量も大きい。したがって、その他の製品より、大きな換気機能を持つ。皮靴、運動靴等の各種靴に適用可能である。靴を洗う時は、中敷を取り出すこともできる。気温が下がった時は、中敷を普通のものに変更すれば、暖かくはける。
３  数量の多い口径の小さい蝸牛型スプリングが、大きい口径の蝸牛型スプリングに取って替わっているので、外的な横向きの力によって、変形した場合、元に戻りにくいという問題が避けられる。
４  靴内の湿った、熱い空気が冷たい外気と対流するので、ばい菌の繁殖や汗臭さを抑え、水虫の発生を予防することができる。
【考案を実施するための最良の形態】
【０００６】
図１、図１Ａ、図２を参照いただきたい。本考案の強制換気機能を持つ靴底１は、2枚の靴型の上下靴底１１、１２（プラスティック片あるいは皮材でも可能）、上下の靴底１１、１２の間にあって、弾力性のあるプラスティックフレームあるいはゴムフレーム１３、靴底の最上部に張り付けられる通気層１４、あるいは、下方の通気層１４Ａ、そして、上下靴底の間に分布する複数の蝸牛型スプリング１５からなる。このプラスティックフレームあるいはゴムフレーム１３は、上下の靴底との間にエアルームSを形成する。さらに、このエアルームS内部の蝸牛型スプリング１５は、その回復力によって、押さえ付けられた上下の靴底１１、１２を元の位置に戻す。
【０００７】
上部靴底１１は、かかととつま先の部分に、それぞれ空気の進入口１１１及び空気の出口１１２がある。そして、上部靴底１１上方あるいは下方に別に張り付けた通気層１４あるいは１４Ａ（図１Ａを参照）がある。また、この通気層１４には、上部靴底１１の空気の進入口１１１と通じる空気の進入穴１４１（そのつま先部分には上部靴底の空気の出口１１２に通じる空気の出る穴はない）がある。そして、この上部靴底１１の空気の進入口１１１及び通気層の空気の進入穴１４１は、足の裏が地面を踏んだ時、エアルームの空気を圧迫して、上部靴底１１の空気の出口１１２及び通気層１４（空気の出る穴はない）を経て、足の指の間を流通させる。
【０００８】
蝸牛型スプリング１５は、上部が幾重にも巻かれていて、同一平面線のサークルと底部が平行した円錐台形状になっている。そして、蝸牛型スプリング１５底部のスプリング線は、外側に伸びて、幾重にも巻かれていて、平面線のサークルを形成し、最上部の平面と平行になっているので、上下の靴底１１、１２の間に接着しやすいようになっている。
【０００９】
本考案の実施方法は、図３、図４を参照いただきたい。道を歩く時、かかとの部分が先に地面を踏む。通気層１４の空気の進入穴１４１及び上部靴底１１の空気の進入口１１１が、かかとに踏まれて下に押し付けられ、エアルームS内部に充填されている空気が圧迫される。そして、上部靴底１１の空気の出口１１２及び通気層１４から流出して、足の指の間を流通する。そして、かかととつま先が続いて地面から離れると、上部靴底１１及び下部靴底１２の間の蝸牛型スプリング１５の回復力によって、２枚の靴底が広げられ、それと同時に外気が動かされ、空気が通気層１４の空気の進入穴１４１、及び、上部靴底１１の空気の進入口１１１を通して吸入される。そして、通気層１４のつま先が当たる部分に空気の出る穴がないことにより、圧迫された空気は、再びつま先部分からエアルームSに戻りにくくなっている。また、かかと及びつま先が続いて地面を離れる時、かかとは先に地面から離れる。この時、空気は優先的に通気層１４の空気の進入穴１４１及び上部靴底１１の空気の進入口１１１から吸入される。空気が通気層１４及び上部靴底１１の空気の出口１１２からエアルームSに進入する速度は、かかと部分の口径の大きな空気の進入口の進入速度より、はるかに小さく、この原理を利用して、空気が単一方向に流動する目的を果たす。そして、エアルームS内部は、随時冷たい空気が飽満の状態になり、換気の機能を果たすのである。
この時、足で踏む循環動作が連続することにより、靴内の湿った熱い空気は、外の冷たい空気と対流し、通気がよくなり、優れた放熱効果を発揮する。
【００１０】
図５を参照いただきたい。本考案の第二の実施例である。上下靴底１１、１２の間のプラスティックフレームあるいはゴムフレーム１３Aは、中間の位置から前に徐々にその高度が低くなっている。靴底１は、かかと部分にエアルームS1を形成し、エアルームS1内には、蝸牛型スプリング１５がある。また、上部靴底１１Aは、プラスティックフレームあるいはゴムフレーム１３Aと同じ（後ろが高く、前が低い）カーブ曲線になっていて、プラスティックフレームあるいはゴムフレーム１３Aが張り付けやすいようになっている。また、上部靴底１１Aは、足の裏の前の部分が、下に向かって突起した、複数の突起粒１１３があり、上下靴底１１A、１２の間に、気体が全体的に流通するエアルーム機能を形成している。したがって、かかとが踏み込んだ時のショックを和らげるだけでなく、かかとにかかる振動を減らす効果もある。そして、靴内の湿った熱い空気が冷たい外気と対流して、通気がよくなり、優れた放熱効果を発揮するので、ばい菌が繁殖しにくく、汗臭さを抑え、水虫の発生を予防することができる。
【図面の簡単な説明】
【００１１】
【図１】本考案の立体分解図である。
【図１Ａ】上部靴底下方にある通気層の実施例図である。
【図２】本考案の立体組立図である。
【図３】足の裏が地面を踏んだ状態を示した断面図である。
【図４】足の裏が地面から離れた状態を示した断面図である。
【図５】本考案の第二の実施図である。
【符号の説明】
【００１２】
１        靴底                      
１１      上部靴底                  １１Ａ      上部靴底
１１１    空気の進入口              １１２      空気の出口  
１１３    突起粒                    １２        下部靴底
１３      プラスティックフレーム    １３Ａ      プラスティックフレーム
１４      通気層                    １４Ａ      通気層
１４１    空気の進入穴              １５       蝸牛型スプリング
Ｓ        エアルーム                Ｓ１        エアルーム
【図１】
0003101869.tif 000003
【図１Ａ】
0003101869.tif 000004
【図２】
0003101869.tif 000005
【図３】
0003101869.tif 000006
【図４】
0003101869.tif 000007
【図５】
0003101869.tif 000008
【手続補正書】
【提出日】平成16年1月16日(2004.1.16)
【手続補正１】
【補正対象書類名】実用新案登録請求の範囲
【補正対象項目名】請求項１
【補正方法】変更
【補正の内容】
【請求項１】
２枚の靴型の上下靴底の間に、弾力性のあるプラスティックフレームあるいはゴムフレームを張り付けることで、エアルームを形成し、上下靴底の間には複数の蝸牛型スプリングが分布していて、蝸牛型スプリングの回復力によって、押さえ付けられた２枚の靴底を元の位置に戻し、上部靴底は、かかととつま先の部分に、それぞれ空気の進入口及び空気の出口があって、上部靴底の上方あるいは下方に通気層が張り付けられていて、この通気層には、上部靴底の空気の進入口と通じる空気の進入穴があり、この上部靴底の空気の進入口及び通気層の空気の進入穴は、足の裏が地面を踏んだ時、エアルームの空気を圧迫して、上部靴底の空気の出口及び通気層を経て、足の指の間を流通させ、足の裏が地面から離れると、蝸牛型スプリングの回復力によって、２枚の靴底が広げられ、それと同時に外気が動かされ、空気が通気層の空気の進入穴及び上部靴底の空気の進入口を通して吸入されるので、エアルーム内は随時冷たい空気があって、靴内は通気性がよく、優れた放熱効果があるという特長を持つ、シューズの強制換気構造。
【手続補正２】
【補正対象書類名】実用新案登録請求の範囲
【補正対象項目名】請求項２
【補正方法】変更
【補正の内容】
【請求項２】
上下靴底の間のプラスティックフレームあるいはゴムフレームは、中間の位置から前に徐々にその高度が低くなっていて、上部靴底は、プラスティックフレームあるいはゴムフレームと同じカーブ曲線になっていて、プラスティックフレームあるいはゴムフレームが張り付けやすいようになっていて、かかとの部分にエアルームを形成していて、エアルーム内には、蝸牛型スプリングがあって、上部靴底は、足の裏の前の部分が、下に向かって突起した、複数の突起粒があり、エアルーム内の空気が突起粒間の隙間を経て空気の出る口に達しやすくなっていて、靴内の通気がよくなり、優れた放熱効果を発揮するという特長を持つ、請求項１に記載のシューズの強制換気構造。